(57)【要約】  【課題】排水を適切に処理できる排水処理装置を提供する。  【解決手段】排水処理装置１は、排水中の残さ物を分離するかご体11と、かご体11を通過した排水中の浮遊物を分離するネット体13とを備える。排水処理装置１は、ネット体13を通過した排水中の油脂分を吸着分離するシート状の油吸着体15と、油吸着体15を通過した排水中の有機物を活性化石炭27による吸着と好気性微生物による分解とにて吸着分解する吸着分解手段16とを備える。  【選択図】図１
2006142128.tif 000002
【特許請求の範囲】
【請求項１】
排水中の残さ物を分離するかご体と、
このかご体を通過した排水中の浮遊物を分離するネット体と、
このネット体を通過した排水中の油脂分を吸着分離する油吸着体と、
この油吸着体を通過した排水中の有機物を活性化石炭による吸着と好気性微生物による分解とにて吸着分解する吸着分解手段と
を備えることを特徴とする排水処理装置。
【請求項２】
吸着分解手段は、好気性微生物が棲みついた活性化石炭を収容した容器と、この容器の下方に配設された空気供給管とを有する
ことを特徴とする請求項１記載の排水処理装置。
【請求項３】
排水入口部および排水出口部が形成された略箱形状の装置本体を備え、
前記装置本体内には、この装置本体の上から下に向って順に、かご体、ネット体、油吸着体および吸着分解手段が配設されている
ことを特徴とする請求項１記載の排水処理装置。
【発明の詳細な説明】
【技術分野】
【０００１】
本発明は、油脂分および有機物等を含んだ排水を適切に処理できる排水処理装置に関するものである。
【背景技術】
【０００２】
従来、例えばラーメン汁等の排水を処理するための排水処理装置として、吸着シート等の油吸着部材と、この油吸着部材を収容する吸着材保持ケースと、この吸着材保持ケースを３段支持する吸着材充填容器とを備え、吸着材保持ケースが一端側から他端側に向って油脂類を含む排水が流下するように水平に対して傾いて支持されるとともに、吸着材保持ケースがその下流側に排水を一時的に貯留する溜まり形成部材を有した油水分離装置が知られている（例えば、特許文献１参照）。
【特許文献１】特開２００４−４１８８２号公報
【発明の開示】
【発明が解決しようとする課題】
【０００３】
しかしながら、上記従来の排水処理装置では、排水中の有機物（ＢＯＤ）が吸着材保持ケース内に収容された吸着シート等の油吸着部材にて吸着されることなく、この油吸着部材を通過してしまうため、ラーメン汁等の排水の処理が不十分となるおそれがある。
【０００４】
本発明は、このような点に鑑みなされたもので、油脂分および有機物等を含んだ排水を適切に処理できる排水処理装置を提供することを目的とする。
【課題を解決するための手段】
【０００５】
請求項１記載の排水処理装置は、排水中の残さ物を分離するかご体と、このかご体を通過した排水中の浮遊物を分離するネット体と、このネット体を通過した排水中の油脂分を吸着分離する油吸着体と、この油吸着体を通過した排水中の有機物を活性化石炭による吸着と好気性微生物による分解とにて吸着分解する吸着分解手段とを備えるものである。
【０００６】
そして、排水中の残さ物がかご体にて分離され、排水中の浮遊物がネット体にて分離され、排水中の油脂分が油吸着体にて吸着分離され、排水中の有機物が活性化石炭による吸着と好気性微生物による分解とにて吸着分解されるため、油脂分および有機物等を含んだ排水が適切に処理される。
【０００７】
請求項２記載の排水処理装置は、請求項１記載の排水処理装置において、吸着分解手段は、好気性微生物が棲みついた活性化石炭を収容した容器と、この容器の下方に配設された空気供給管とを有するものである。
【０００８】
そして、吸着分解手段が好気性微生物が棲みついた活性化石炭を収容した容器とこの容器の下方に配設された空気供給管とを有するため、排水中の有機物が効率的に吸着分解される。
【０００９】
請求項３記載の排水処理装置は、請求項１記載の排水処理装置において、排水入口部および排水出口部が形成された略箱形状の装置本体を備え、前記装置本体内には、この装置本体の上から下に向って順に、かご体、ネット体、油吸着体および吸着分解手段が配設されているものである。
【００１０】
そして、かご体、ネット体、油吸着体および吸着分解手段を装置本体内にこの装置本体の上から下に向って順に配設することで、装置の小型化が図られる。
【発明の効果】
【００１１】
請求項１に係る発明によれば、排水中の残さ物がかご体にて分離され、排水中の浮遊物がネット体にて分離され、排水中の油脂分が油吸着体にて吸着分離され、排水中の有機物が活性化石炭による吸着と好気性微生物による分解とにて吸着分解されるため、油脂分および有機物等を含んだ排水を適切に処理できる。
【００１２】
請求項２に係る発明によれば、吸着分解手段が好気性微生物が棲みついた活性化石炭を収容した容器とこの容器の下方に配設された空気供給管とを有するため、排水中の有機物を効率的に吸着分解できる。
【００１３】
請求項３に係る発明によれば、かご体、ネット体、油吸着体および吸着分解手段を装置本体内にこの装置本体の上から下に向って順に配設することで、装置の小型化を図ることができる。
【発明を実施するための最良の形態】
【００１４】
本発明の排水処理装置の一実施の形態を図面を参照して説明する。
【００１５】
図１において、１は排水処理装置で、この排水処理装置１は、例えば飲食店等の厨房からでるラーメン汁、スープ、味噌汁、カレー等の排水（厨房排水）を処理するための装置である。
【００１６】
排水処理装置１は、例えばシンク（図示せず）に隣接して厨房の床面上に設置される単独床置型のものである。
【００１７】
そして、排水処理装置１は、外形略直方体状をなす略箱形状の装置本体２を備えている。
【００１８】
装置本体２の上面部には、上方に向って開口した排水入口部３が形成されている。装置本体２の一側面部の下側位置には排水出口部４が形成され、この排水出口部４にはオーバーフロー管５の上流端部が接続されている。なお、装置本体２における排水出口部４より下方に位置する部分が排水貯留部６となっている。
【００１９】
また、装置本体２の下面部の開口部（図示せず）には、掃除時等に排水貯留部６内の排水を排出する排出管７の上流端部が接続されている。装置本体の下面部の４つの隅部にはキャスタ８が設けられている。
【００２０】
そして、装置本体２内には、この装置本体２の上から下に向って順に、かご体11、水受け体12、ネット体13、パンチング板14、シート状の油吸着体15、および吸着分解手段16が上下方向に並んだ状態で配設されている。
【００２１】
かご体11は、排水中の残さ物、例えば客席から片付けられた食器21に残された排水中の残さ物（１ｍｍ以上の物）を排水から分離するもので、装置本体２の排水入口部３の内側に着脱可能に設けられている。かご体11は、網目状のかご本体部22と、このかご本体部22に設けられた対をなす取手部23とを有している。
【００２２】
水受け体12は、装置本体２の上部内側に固着された逆截頭角錐状の水受け本体部24と、この水受け本体部24の下端部に一体に設けられた円筒状の筒状部25とを有している。
【００２３】
ネット体13は、かご体11を通過して水受け体12から流れてき排水中の浮遊物（０．５ｍｍ以上の物）を排水から分離するもので、水受け体12の筒状部25に着脱可能に装着され、下部がパンチング板14上に載った状態となっている。
【００２４】
油吸着体15は、ネット体13およびパンチング板14を通過した排水中の油脂分を排水から吸着分離するもので、パンチング板14の下面に接した状態に配設されている。
【００２５】
吸着分解手段16は、油吸着体15を通過した排水中の有機物を活性化石炭27による吸着と好気性微生物による分解とにて吸着分解するもので、装置本体２の排水貯留部６内に配設されている。すなわち、吸着分解手段16は、排水貯留部６に貯留された排水中の有機物を活性化石炭27と好気性微生物とを利用して吸着分解するものである。なお、好気性微生物を保持したセラミック製の担体（図示せず）を活性化石炭とともに利用してもよい。
【００２６】
そして、吸着分解手段16は、好気性微生物が棲みついた活性化石炭27を多数収容した網目状の容器28と、この容器28の下方に配設された空気供給管（散気管）29とを有している。容器28は、装置本体２の排水貯留部６内に対して出入れ可能となっている。また、空気供給管29は、エアーポンプボックス30に接続されている。
【００２７】
次に、上記一実施の形態の作用等を説明する。
【００２８】
油脂分および有機物等を含んだラーメン汁等の排水が排水入口部３から装置本体２内に投入されると、排水中の比較的大きな残さ物がかご体11にて収集されて分離される。
【００２９】
かご体11を通過した排水は、水受け体12の水受け本体部24の傾斜状の内面上を流れ、筒状部25内を通って、ネット体13内に流れ込む。そして、排水中の比較的小さな微粒子浮遊物がネット体13にて収集されて分離される。
【００３０】
ネット体13を通過した排水は、パンチング板14の孔から油吸着体15側に流れ、この排水中の油脂分が油吸着体15にて吸着分離される。
【００３１】
油吸着体15を通過した排水は、装置本体２の排水貯留部６内に一旦貯留され、この排水貯留部６内においてその排水に溶け込んだ有機物が活性化石炭による吸着分離と好気性微生物による酸化分解とにて吸着分解される。この吸着分解時には、エアーポンプボックス30内のエアーポンプが作動して空気供給管29から空気が排水中に供給されるため、好気性微生物による分解が適切に行われる。
【００３２】
なお、吸着分解手段16にて有機物までもが除去された排水は、オーバーフローにより排水出口部４からオーバーフロー管５を通って下水道管側に排出される。
【００３３】
このように上記排水処理装置１によれば、排水中の残さ物がかご体11にて分離され、排水中の浮遊物がネット体13にて分離され、排水中の油脂分が油吸着体15にて吸着分離され、排水中の有機物が吸着分解手段16の活性化石炭27による吸着と好気性微生物による分解とにて吸着分解されるため、従来の構成に比べて、油脂分および有機物等を含んだ排水を適切に処理でき、よって所定の排水基準内で下水道管側に排出することができる。
【００３４】
また、かご体11、水受け体12、ネット体13、パンチング板14、シート状の油吸着体15、および吸着分解手段16を略箱形状の装置本体２内にこの装置本体２の上から下に向って順に配設することで、装置の小型化を図ることができ、設置スペースを容易に確保できる。
【００３５】
なお、上記実施の形態では、排水処理装置１をシンクとは別体にした構成について説明したが、例えばシンク一体型のものでもよい。
【図面の簡単な説明】
【００３６】
【図１】本発明の排水処理装置の一実施の形態を示す正面図である。
【符号の説明】
【００３７】
１    排水処理装置
２    装置本体
３    排水入口部
４    排水出口部
11    かご体
13    ネット体
15    油吸着体
16    吸着分解手段
27    活性化石炭
28    容器
29    空気供給管
【図１】
2006142128.tif 000003